(57)【要約】【課題】過去に閲覧したウェブページの履歴情報を用いて、そのウェブページに内容の関連する情報を容易に検索することのできる情報配信システムを提供する。【解決手段】端末が、アクセス先のウェブサーバから受信するウェブページ内に、当該アクセス先のＵＲＬで示されるウェブサーバが情報アイテムの分析結果に応じた配信処理を行っていることを示すアイテム対応情報が格納されているかを判定する。そして端末は、アクセス先から受信したウェブページ内に、アイテム対応情報が格納されている場合であって、情報アイテムの送信指示を受け付けた場合には、そのアクセス先のウェブサーバへ、生成した情報アイテムを送信する。端末は、情報アイテム内に含まれる１つ以上のアクセス先管理情報に基づいてウェブサーバの検索処理により出力された検索結果を受信する。【選択図】図１
2011060208.tif 000002
【特許請求の範囲】
【請求項１】
情報検索支援装置と、配信装置とを備えた情報配信システムであって、
前記情報検索支援装置は、
アクセス先管理情報記憶手段に登録されたアクセス先管理情報であって、配信装置が配信する配信情報のアクセス先を少なくとも示すアクセス先管理情報を、前記アクセス先管理情報記憶手段から複数読み取って出力する第１アクセス先管理情報出力手段と、
前記出力した複数のアクセス先管理情報のうちの１つ以上の選択を受け付ける選択受付手段と、
前記選択されたアクセス先管理情報を示す情報アイテムを生成する情報アイテム生成手段と、
アクセス先からの配信情報内に、当該アクセス先で示される配信装置が前記情報アイテムの分析結果に応じた配信処理を行っていることを示すアイテム対応情報が格納されているかを判定するアイテム対応情報有無判定手段と、
前記アクセス先からの配信情報内に、前記アイテム対応情報が格納されている場合であって、前記情報アイテムの送信指示を受け付けた場合に、前記生成した情報アイテムを送信する情報アイテム送信手段と、
前記情報アイテム内に含まれる１つ以上の前記アクセス先管理情報に基づいて前記配信装置の出力した検索結果を受信する検索結果受信手段と、を備え、
前記配信装置は、
前記情報検索支援装置から受信した情報アイテム内に含まれる、１つ以上の前記アクセス先管理情報に基づいて、当該１つ以上のアクセス先管理情報が示す配信装置が配信する配信情報の内容に関連する、検索結果の配信情報を、前記情報検索支援装置へ出力する検索手段と、を備える
ことを特徴とする情報配信システム。
【請求項２】
前記情報検索支援装置は、
前記情報アイテムを情報アイテム記憶手段に登録する情報アイテム登録手段と、
受信した前記配信情報内に、当該配信情報のアクセス先とは異なるアクセス先を示すアクセス先管理情報が格納されているかを判定するアクセス先管理情報有無判定手段と、
前記受信した前記配信情報内に、当該配信情報のアクセス先とは異なるアクセス先を示すアクセス先管理情報が格納されていると判定した場合に、それらアクセス先管理情報を前記アクセス先管理情報記憶手段に登録する第１アクセス先管理情報登録手段と、
前記登録したアクセス先管理情報を前記配信情報の出力先に出力する第２アクセス先管理情報出力手段と、
を備えることを特徴とする請求項１に記載の情報配信システム。
【請求項３】
前記情報検索支援装置は、
前記アクセス先からの配信情報内に、前記アイテム対応情報が格納されている場合に、該アクセス先からの配信情報の出力先に、その配信情報が前記情報アイテムを用いた配信処理を行っていることを示す情報アイテム対応表示を行う情報アイテム対応表示出力手段と、
を備えることを特徴とする請求項１に記載の情報配信システム。
【請求項４】
前記情報検索支援装置は、
受信した配信情報のアクセス先管理情報が、前記アクセス先管理情報記憶手段に登録されているかを判定する登録有無判定手段と、
前記受信した配信情報のアクセス先管理情報が、前記アクセス先管理情報記憶手段に登録されていない場合に、前記受信した配信情報の前記アクセス先管理情報を、前記アクセス先管理情報記憶手段に登録する第２アクセス先管理情報登録手段と、
を備えることを特徴とする請求項１から請求項３のいずれかに記載の情報配信システム。
【請求項５】
前記情報検索支援装置は、
前記配信装置から受信した配信情報を出力先へ出力する配信情報出力手段と、
前記出力した配信情報のブックマーク登録指示を受け付けるブックマーク登録指示受付手段と、
前記ブックマーク登録指示に基づいて、前記出力先へ出力した配信情報の前記アクセス先管理情報を、ブックマーク記憶手段に登録するブックマーク登録手段と、
を備えることを特徴とする請求項１から請求項４のいずれかに記載の情報配信システム。
【請求項６】
前記情報検索支援装置において、
前記第１アクセス先管理情報出力手段は、前記ブックマーク記憶手段に登録されたアクセス先管理情報を、前記ブックマーク記憶手段から複数読み取って出力し、
前記選択受付手段は、前記ブックマーク記憶手段から複数読み取って出力した複数のアクセス先管理情報のうちの１つ以上の選択を受け付け、
前記情報アイテム生成手段は、前記選択されたアクセス先管理情報を示す情報アイテムを生成する
ことを特徴とする請求項５に記載の情報配信システム。
【請求項７】
情報検索支援装置と、配信装置とを備えた情報配信システムの情報配信方法であって、
前記情報検索支援装置の第１アクセス先管理情報出力手段が、アクセス先管理情報記憶手段に登録されたアクセス先管理情報であって、配信装置が配信する配信情報のアクセス先を少なくとも示すアクセス先管理情報を、前記アクセス先管理情報記憶手段から複数読み取って出力し、
前記情報検索支援装置の選択受付手段が、前記出力した複数のアクセス先管理情報のうちの１つ以上の選択を受け付け、
前記情報検索支援装置の情報アイテム生成手段が、前記選択されたアクセス先管理情報を示す情報アイテムを生成し、
前記情報検索支援装置のアイテム対応情報有無判定手段が、アクセス先からの配信情報内に、当該アクセス先で示される配信装置が前記情報アイテムの分析結果に応じた配信処理を行っていることを示すアイテム対応情報が格納されているかを判定し、
前記情報検索支援装置の情報アイテム送信手段が、前記アクセス先からの配信情報内に、前記アイテム対応情報が格納されている場合であって、前記情報アイテムの送信指示を受け付けた場合に、前記生成した情報アイテムを送信し、
前記配信装置の検索手段が、前記情報検索支援装置から受信した情報アイテム内に含まれる、１つ以上の前記アクセス先管理情報に基づいて、当該１つ以上のアクセス先管理情報が示す配信装置が配信する配信情報の内容に関連する、検索結果の配信情報を、前記情報検索支援装置へ出力し、
前記情報検索支援装置の検索結果受信手段が、前記情報アイテム内に含まれる１つ以上の前記アクセス先管理情報に基づいて前記配信装置の出力した検索結果を受信する
ことを特徴とする情報配信方法。
【発明の詳細な説明】
【技術分野】
【０００１】
本発明は、インターネット通信網などの通信ネットワークに接続された配信装置が情報を配信する情報配信システムおよび情報配信方法に関する。
【背景技術】
【０００２】
ウェブサーバ等の配信装置が配信する情報としてウェブページが存在する。インターネット通信網を介して、ウェブサーバからウェブページを取得して端末上で表示させることにより、様々な情報を入手することができるようになり、この履歴を利用して、ユーザの情報検索を支援する技術が特許文献１や特許文献２に開示されている。
特許文献１の技術は、ユーザがテキストを入力したウェブページの閲覧情報を利用して、閲覧したウェブページの探索を効果的に支援するものである。
また特許文献２の技術は、各属性項目の評価ポイントに基づいてユーザのプロファイルを更新することにより、そのユーザの好む情報を蓄積し、その情報に基づいて、ユーザに対して情報のレコメンデーションを行うものである。
【先行技術文献】
【特許文献】
【０００３】
【特許文献１】特開２００７−２８００１１号公報
【特許文献２】特開２００２−１６３５０８号公報
【発明の概要】
【発明が解決しようとする課題】
【０００４】
ところで、過去に閲覧したウェブページの履歴情報を用いて、そのウェブページに内容の関連する情報を容易に検索することのできる技術が望まれている。また、ウェブサーバ側では、ユーザの嗜好情報や行動情報の収集が望まれている。
【０００５】
そこでこの発明は、上記課題を解決するためになされた、情報配信システムおよび情報配信方法を提供することを目的としている。
【課題を解決するための手段】
【０００６】
上記目的を達成するために、本発明は、情報検索支援装置と、配信装置とを備えた情報配信システムであって、前記情報検索支援装置は、アクセス先管理情報記憶手段に登録されたアクセス先管理情報であって、配信装置が配信する配信情報のアクセス先を少なくとも示すアクセス先管理情報を、前記アクセス先管理情報記憶手段から複数読み取って出力する第１アクセス先管理情報出力手段と、前記出力した複数のアクセス先管理情報のうちの１つ以上の選択を受け付ける選択受付手段と、前記選択されたアクセス先管理情報を示す情報アイテムを生成する情報アイテム生成手段と、アクセス先からの配信情報内に、当該アクセス先で示される配信装置が前記情報アイテムの分析結果に応じた配信処理を行っていることを示すアイテム対応情報が格納されているかを判定するアイテム対応情報有無判定手段と、前記アクセス先からの配信情報内に、前記アイテム対応情報が格納されている場合であって、前記情報アイテムの送信指示を受け付けた場合に、前記生成した情報アイテムを送信する情報アイテム送信手段と、前記情報アイテム内に含まれる１つ以上の前記アクセス先管理情報に基づいて前記配信装置の出力した検索結果を受信する検索結果受信手段と、を備え、前記配信装置は、前記情報検索支援装置から受信した情報アイテム内に含まれる、１つ以上の前記アクセス先管理情報に基づいて、当該１つ以上のアクセス先管理情報が示す配信装置が配信する配信情報の内容に関連する、検索結果の配信情報を、前記情報検索支援装置へ出力する検索手段と、を備えることを特徴とする情報配信システムである。
【０００７】
また本発明は、情報検索支援装置と、配信装置とを備えた情報配信システムの情報配信方法であって、前記情報検索支援装置の第１アクセス先管理情報出力手段が、アクセス先管理情報記憶手段に登録されたアクセス先管理情報であって、配信装置が配信する配信情報のアクセス先を少なくとも示すアクセス先管理情報を、前記アクセス先管理情報記憶手段から複数読み取って出力し、前記情報検索支援装置の選択受付手段が、前記出力した複数のアクセス先管理情報のうちの１つ以上の選択を受け付け、前記情報検索支援装置の情報アイテム生成手段が、前記選択されたアクセス先管理情報を示す情報アイテムを生成し、前記情報検索支援装置のアイテム対応情報有無判定手段が、アクセス先からの配信情報内に、当該アクセス先で示される配信装置が前記情報アイテムの分析結果に応じた配信処理を行っていることを示すアイテム対応情報が格納されているかを判定し、前記情報検索支援装置の情報アイテム送信手段が、前記アクセス先からの配信情報内に、前記アイテム対応情報が格納されている場合であって、前記情報アイテムの送信指示を受け付けた場合に、前記生成した情報アイテムを送信し、前記配信装置の検索手段が、前記情報検索支援装置から受信した情報アイテム内に含まれる、１つ以上の前記アクセス先管理情報に基づいて、当該１つ以上のアクセス先管理情報が示す配信装置が配信する配信情報の内容に関連する、検索結果の配信情報を、前記情報検索支援装置へ出力し、前記情報検索支援装置の検索結果受信手段が、前記情報アイテム内に含まれる１つ以上の前記アクセス先管理情報に基づいて前記配信装置の出力した検索結果を受信することを特徴とする情報配信方法である。
【発明の効果】
【０００８】
本発明によれば、ユーザの利用する情報検索支援装置は、アクセスしたウェブページのうち、ブックマークしたウェブページに基づいて、１つ又は複数のウェブページの情報からなる情報アイテムを生成し、その情報アイテムをウェブサーバに送信することにより、情報アイテムで示される１つ又は複数のウェブページに関連する配信情報を、情報アイテムを用いたサービスを提供するウェブサーバより受信する。これにより、情報検索支援装置において、ユーザが関連すると思うウェブページのまとまりに関連する、他のウェブページの情報を収集することができ、ユーザによる関連する情報収集の効率を上げることができる。
また、本発明によれば、ウェブサーバ側では、適切な情報提供をすることにより、複数のユーザからの複数の情報アイテムを収集し、サービス改善に役立てることができる。
【図面の簡単な説明】
【０００９】
【図１】情報配信システムの構成を示す第１の図である。
【図２】情報検索支援部の機能構成を示すブロック図である。
【図３】情報収集処理の第１の処理フローを示す図である。
【図４】アクセス履歴情報テーブルの例を示す図である。
【図５】アクセス管理テーブルの例を示す図である。
【図６】ブックマーク管理テーブルの例を示す図である。
【図７】情報収集処理の第２の処理フローを示す図である。
【図８】ブックマーク情報出力ウィンドウの表示例を示す第１の図である。
【図９】情報収集処理の第３の処理フローを示す図である。
【図１０】情報アイテム管理テーブルの例を示す図である。
【図１１】情報収集処理の第４の処理フローを示す図である。
【図１２】情報提供ＵＲＬの表示例を示す図である。
【図１３】情報簡易検索処理の処理フローを示す図である。
【図１４】ブックマーク登録情報検索画面を示す図である。
【図１５】近辺履歴情報検索画面を示す図である。
【図１６】情報アイテム利用処理の第１の処理フローを示す図である。
【図１７】情報アイテム一覧画面の例を示す図である。
【図１８】情報アイテム送信先ＵＲＬが格納されているウェブページの表示例を示す図である。
【図１９】情報アイテム利用処理の第２の処理フローを示す図である。
【図２０】情報アイテム分析処理の概要を示す第１の図である。
【図２１】情報配信システムの構成を示す第２の図である。
【図２２】情報提供ＵＲＬ管理テーブルの例を示す図である。
【図２３】情報アイテム利用処理の第３の処理フローを示す図である。
【発明を実施するための形態】
【００１０】
以下、本発明の一実施形態による情報配信システムを図面を参照して説明する。
図１は同実施形態による情報配信システムの構成を示す第１の図である。
この図において、符号１は端末である。また、２はウェブページ等の配信情報を配信するウェブサーバである。これら、端末１とウェブサーバ２は通信ネットワークを介して接続されている。そしてこれら端末１とウェブサーバ２とにより情報配信システムが構成されている。また、図で示すように、端末１はウェブブラウザの機能を備えたブラウザ処理部１１と、ウェブページによる情報検索のユーザ支援を行う情報検索支援部１２と、データベース１３（アクセス先管理情報記憶手段）とを備えている。
【００１１】
図２は情報検索支援部の機能構成を示すブロック図である。
この図が示すように、情報検索支援部１２は、通信処理部１２０、通信情報管理部１２１、配信情報解析部１２２、情報アイテム生成部１２３、情報アイテム管理部１２４、アクセス履歴管理部１２５、ブックマーク管理部１２６、画面制御部１２７の各処理部を備えている。
ここで、通信処理部１２０は他装置との通信処理を行う処理部である。また通信情報管理部１２１は、他装置への情報アクセスの履歴を記録するプロキシ処理を行う処理部である。また配信情報解析部１２２は、ウェブサーバ２から配信された配信情報（ウェブページなど）を解析する処理部である。また情報アイテム生成部１２３は、アクセス先のＵＲＬやそのアクセス履歴などの情報を含む情報アイテムを生成する処理部である。また情報アイテム管理部１２４は、生成された情報アイテムを用いた処理を制御する処理部である。またアクセス履歴管理部１２５は端末がアクセスしたウェブページのアクセス先や履歴情報を管理する処理部である。またブックマーク管理部１２６は、ユーザにとって必要と指示されたウェブページのアクセス先や履歴情報を管理する処理部である。また画面制御部１２７は端末１のモニタに出力する情報を制御する処理部である。
【００１２】
そして、本実施形態による情報配信システムでは、まず、端末１（情報検索支援装置）が、データベース１３に登録されたアクセス先管理情報であって、ウェブサーバ２（配信装置）が配信するウェブページ（配信情報）のアクセス先の情報（ＵＲＬ）を少なくとも示すアクセス先管理情報を、データベース１３から複数読み取ってモニタに出力し、当該出力した複数のアクセス先管理情報のうちの１つ以上の選択を受け付ける。そして端末１は、選択されたアクセス先管理情報を示す情報アイテムを生成する。その後、端末では、アクセス先のウェブサーバ２から受信するウェブページ内に、当該アクセス先のＵＲＬで示されるウェブサーバ２が情報アイテムの分析結果に応じた配信処理を行っていることを示すアイテム対応情報が格納されているかを判定する。そして端末１は、アクセス先から受信したウェブページ内に、アイテム対応情報が格納されている場合であって、情報アイテムの送信指示を受け付けた場合には、そのアクセス先のウェブサーバ２へ、生成した情報アイテムを送信する。そして端末１は、情報アイテム内に含まれる１つ以上のアクセス先管理情報に基づいてウェブサーバ２の検索処理により出力された検索結果を受信する。この処理において、ウェブサーバ２は、端末１から受信した情報アイテム内に含まれる、１つ以上のアクセス先管理情報に基づいて、当該１つ以上のアクセス先管理情報が示すウェブサーバ２が配信する配信情報の内容に関連する、検索結果の配信情報を、端末１へ出力する。
これにより、本情報配信システムでは、過去に閲覧したウェブページの履歴情報を用いて、そのウェブページに内容の関連する情報を容易に検索する検索支援のサービスを提供する。
【００１３】
次に、本実施形態による情報配信システムの処理フローについて説明する。
＜Ａ．情報収集処理＞
図３は情報収集処理の第１の処理フローを示す図である。
図４はアクセス履歴情報テーブルの例を示す図である。
図５はアクセス管理テーブルの例を示す図である。
図６はブックマーク管理テーブルの例を示す図である。
情報配信システムは、ユーザが端末１を用いてウェブサーバにアクセスすることにより受信した、ウェブページのＵＲＬ（アクセス先情報）や履歴情報を収集する。
まず、ユーザが端末１を用いてウェブサーバ２の送信するウェブページの検索・閲覧の操作を行う。すると端末１のブラウザ処理部１１は、ウェブサーバ２へウェブページの配信要求を出力する（ステップＳ１０１）。このウェブページ配信要求は、情報検索支援部１２の画面制御部１２７が、通信情報管理部１２１へ通知する。通信情報管理部１２１は、プロキシサーバの機能を有しており、その配信要求を通信処理部１２０へ転送し、当該通信処理部１２０が、その配信要求を、通信ネットワークを介してウェブサーバ２へ送信する（ステップＳ１０２）。これにより、ウェブサーバ２がウェブページの配信要求に基づく特定したウェブページデータを端末１へ配信する（ステップＳ１０３）。すると、情報検索支援部１２では、通信処理部１２０、通信情報管理部１２１、画面制御部１２７（配信情報出力手段）を介して、ウェブページデータを転送し、ブラウザ処理部１１に出力する（ステップＳ１０４）。これにより、端末１の画面にウェブページが表示される。
【００１４】
ここで、上述の処理において、端末１の情報検索支援部１２の通信情報管理部１２１は、ウェブページの配信要求に基づいてウェブサーバ２からウェブページデータを受信すると、そのウェブページデータの解析要求を配信情報解析部１２２へ指示する。すると配信情報解析部１２２は、ウェブページデータがＨＴＭＬデータかどうかを判定する（ステップＳ１０５）。ＨＴＭＬデータであるかどうかはデータのヘッダ情報などにより判定する。そして、ＨＴＭＬデータであれば、配信情報解析部１２２は、ＨＴＭＬデータ中にＴＩＴＬＥタグが格納されているかを判定する（ステップＳ１０６）。ＴＩＴＬＥタグが格納されていれば、アクセス履歴管理部１２５が、そのＨＴＭＬデータのＵＲＬ（アクセス先）などのアクセス履歴情報を、アクセス履歴を順次蓄積するためのデータベース１３内のアクセス履歴情報テーブル（図４）に登録する（ステップＳ１０７）。なお、アクセス履歴情報は、例えば、履歴ＩＤ、ウェブページのタイトル、閲覧（アクセス）日時（当該タイトルのウェブページの閲覧日時）、ＵＲＬである。なお、配信情報解析部１２２は、受信したデータがＨＴＭＬデータでない場合、例えば、動画像データや画像データである場合には、そのデータへのアクセス履歴情報を登録しない。
【００１５】
また、配信情報解析部１２２（登録有無判定手段）は、受信したＨＴＭＬデータのＵＲＬが、主にアクセスした回数を把握するためのアクセス管理テーブル（図５）に登録されているかを判定する（ステップＳ１０８）。そして登録されていなければ（Ｎｏ）、アクセス履歴管理部１２５（第２アクセス先管理情報登録手段）は、管理ＩＤ、ウェブページのタイトル、最終閲覧（アクセス）日時（当該タイトルのウェブページの最終閲覧日時）、閲覧回数、ＵＲＬ、ウェブページを送信したウェブサーバ２が情報アイテムの分析結果に応じた配信処理を行っているかを示す情報アイテム対応フラグ（Ｙｅｓ／Ｎｏ）、情報アイテムの送信先ＵＲＬ、などを格納したアクセス先管理情報を、アクセス管理テーブルへ登録する（ステップＳ１０９）。これにより、配信を受けたウェブページに何回アクセスしたのかの情報や、情報アイテムの分析結果に応じた配信処理を行っているかの情報が登録される。なお、情報アイテムとは、ユーザが設定登録した複数のアクセス先の各ＵＲＬをまとめた情報であり、この情報アイテムについての詳細は後述する。また、ＨＴＭＬデータのＵＲＬが、既にアクセス管理テーブルに登録されていれば（Ｙｅｓ）、そのＵＲＬを含むアクセス先管理情報のうち、最終閲覧日時と閲覧回数を更新する（ステップＳ１１０）。
【００１６】
また、配信情報解析部１２２は、受信したＨＴＭＬデータのＵＲＬが、データベース１３内のブックマーク管理テーブルに登録されているかを判定する（ステップＳ１１１）。ブックマークとは、ユーザが重要であると考えたウェブページについて、登録しておく行為であり、過去に特定のウェブページについてのブックマーク指示を受け付けている場合には、ブックマーク管理テーブル（図６）にそのウェブページのＵＲＬなどのアクセス先管理情報が登録されている。したがって、ウェブページのＵＲＬが既にブックマーク管理テーブルに登録されているのであれば、ブックマーク管理部１２６は、それをユーザに通知するため、画面制御部１２７にブックマーク情報出力ウィンドウを出力するよう指示する。これにより、画面制御部１２７は、現在、モニタ上に出力されているウェブページのタイトル名と、そのウェブページと関連する他のウェブページのタイトル名と、各タイトル名で示されるウェブページの重み付け値とをブックマーク管理テーブルより読み取り、それらの情報（タイトル名やＵＲＬや重み付け値の量を示すインジケータなど）を示すブックマーク情報出力ウィンドウを、端末１のモニタ上に出力する（ステップＳ１１２）。端末１のモニタ上への出力処理は、ウェブブラウザ１１が行っても、専用の出力プログラムが行うようにしても良い。なお、ブックマーク管理テーブルにＵＲＬが登録されていない場合には、ブックマーク情報出力ウィンドウのモニタ上への出力は行わない。
上述の処理によれば、ユーザは、過去にブックマーク登録したウェブページであるか否かを直ちに把握することができる。また、プロキシの処理を行う情報検索支援部１２は、ＨＴＭＬデータ以外のデータのアクセス履歴情報をアクセス履歴情報テーブルに登録しないため、ウェブページ内に埋め込まれる画像データや、アイコンなどのデータの不要のアクセス履歴をアクセス履歴情報テーブルへ登録することがなくなるため、蓄積するアクセス履歴の情報量を軽減することができる。
【００１７】
図７は情報収集処理の第２の処理フローを示す図である。
次に、上述の処理により、端末１において、過去にブックマーク登録されたウェブページが表示されている場合の処理について説明する。
上述のステップＳ１１２の処理により、端末１のモニタ上に、ブックマーク情報出力ウィンドウが出力されているとする。このような状況において、ユーザは、例えば、マウスを操作してモニタに表示されているウェブページ上に、カーソルを合わせ、重み付けカウントアップ指示を行う。重み付けカウントアップ指示とは、既にブックマークされたウェブページの重要度を示す重み付け値を上げる行為を言い、例えば、ウェブページ上にカーソルを合わせて、右側クリックボタンを押下しながら左側クリックボタンを押下するなどの行為により行う。なお、これ以外に、例えば専用のボタン、またはテレビ等のリモコンに付与したボタンを押下することで重み付けカウントアップ指示を行ったり、音声やジェスチャーの検出機能によって重み付けカウントアップ指示を行ったりするようにしてもよい。そして、情報検索支援部１２の画面制御部１２７は、ウェブページ上でカーソルが合わされたことを検出し、その状態で右側クリックボタンが押下されながら左側クリックボタンが押下されたと検出する（ステップＳ３０１）。この場合、画面制御部１２７は、カウントアップ指示を出力し、その指示をブックマーク管理部１２６が受け付ける。ブックマーク管理部１２６は、カウントアップ指示を受け付けると、モニタに表示されているウェブページのＵＲＬが、ブックマーク管理テーブルに登録されているかを判定する（ステップＳ３０２）。そして、登録されていれば、ブックマーク管理部１２６は、そのＵＲＬに対応付けられてブックマーク管理テーブルに登録されている現在の重み付け値に１を加算し（ステップＳ３０３）、ブックマーク情報出力ウィンドウにおける重み付け値の量を示すインジケータの大きさを更新するよう画面制御部１２７へ指示する（ステップＳ３０４）。これによりモニタ上のブックマーク情報出力ウィンドウにおけるインジケータの大きさが変更される。
【００１８】
また、ブックマーク管理部１２６は、モニタに表示されているウェブページのＵＲＬが、ブックマーク管理テーブルに登録されていない場合には、データベース１３の保持するブックマーク管理テーブルへ、ブックマークＩＤ、ウェブページのタイトル、登録日時、重み付け値（初期値「１」）、ブックマーク実行日時（初期値なし「−」）、実行回数（ブックマークからのウェブページ呼び出し実行回数；初期値「０」）、ウェブページを送信したウェブサーバ２が情報アイテムの分析結果に応じた配信処理を行っているかを示す情報アイテム対応フラグ、ウェブページのＵＲＬ、そのウェブページに関連するウェブページの管理ＩＤ、その関連度、などのブックマーク情報を登録する（ステップＳ３０５）。そして、ブックマーク管理部１２６は、ウェブページをブックマークしたことをユーザに通知するため、画面制御部１２７にブックマーク情報出力ウィンドウを出力するよう指示する（ステップＳ３０６）。
以上の処理によれば、ユーザはブックマーク登録したウェブページの重み付けを容易に行うことができる。
【００１９】
図８はブックマーク情報出力ウィンドウの表示例を示す第１の図である。
この図が示すように、ブックマーク情報出力ウィンドウは、ウェブページの表示されているモニタ上の左上など、所定の位置に、表示される。上記したように、ブックマーク情報出力ウィンドウには、現在表示されているウェブページのタイトル名、各ウェブページの重み付け値の量を示すインジケータが表示される。なお、ブックマーク情報出力ウィンドウに、現在表示されているウェブページに関連する他のウェブページのタイトル名を表示するようにしてもよい。
【００２０】
図９は情報収集処理の第３の処理フローを示す図である。
図１０は情報アイテム管理テーブルの例を示す図である。
次に、情報アイテムを生成する際の処理について説明する。
ユーザは、複数の関連するウェブページの情報をまとめて情報アイテムというデータを生成することができる。この情報アイテムはユーザが選択した複数の関連するウェブページのＵＲＬやタイトル名などのデータを格納した情報である。この情報アイテムを利用して、ユーザは、ウェブサーバ２による高度な検索結果の提供などのサービスを受けることができる。そして、この情報アイテムを生成する場合、まずユーザは端末１に検索画面出力指示を入力する。すると、情報検索支援部１２の画面制御部１２７（第１アクセス先管理情報出力手段）が検索画面を端末１のモニタに出力する（ステップＳ４０１）。この検索画面には、ブックマーク管理テーブルに登録されているウェブページのＵＲＬやタイトル名の一覧が表示される。そして、ユーザはその検索画面に表示されたウェブページの一覧から、複数のウェブページの情報を選択し、検索画面内の情報アイテム生成ボタンを押下する。すると、画面制御部１２７（選択受付手段）が情報アイテム生成ボタンの押下を検出し（ステップＳ４０２）、選択されたウェブページのブックマークＩＤを情報アイテム管理部１２４に通知する。すると、情報アイテム管理部１２４（情報アイテム生成手段）は、通知を受けたブックマークＩＤに基づいて、ブックマーク管理テーブルから各ウェブページの情報（タイトル、登録日時、重み付け値、タグ、ＵＲＬ、実行回数、関連するウェブページの管理ＩＤ、その関連度、）を読み取り（ステップＳ４０３）、それらを一つの情報アイテムＩＤに対応付けてまとめた情報アイテムを生成する（ステップＳ４０４）。また画面制御部１２７は、検索画面のアイテム名指定欄に入力されたアイテム名を情報アイテム管理部１２４へ通知する。情報アイテム管理部１２４（情報アイテム登録手段）は、通知を受けたアイテム名と、生成した情報アイテムのデータとを対応付けて情報アイテム管理テーブルに登録する（ステップＳ４０５）。これによりユーザは情報アイテムを端末１で生成し保持することができる。
なお、情報アイテムの生成方法は、上述の例のほか、例えばタブブラウザ上において、複数のウェブページを表示し、関連のあるタブの順序変更の後、該当タブを１または複数選択して、それらのウェブページの情報を格納した情報アイテムを生成するようにしてもよい。
【００２１】
図１１は情報収集処理の第４の処理フローを示す図である。
次に、ウェブサーバ２がウェブページとともに、他のウェブページのＵＲＬへのアクセスを勧誘等するために情報提供するＵＲＬをウェブページのデータ内に格納して送信する場合について説明する。
まず、ユーザが端末１を用いてウェブサーバ２の送信するウェブページの検索・閲覧の操作を行う。すると端末１のブラウザ処理部１１は、ウェブサーバ２へウェブページの配信要求を出力する（ステップＳ５０１）。このウェブページ配信要求は、情報検索支援部１２の画面制御部１２７が、通信情報管理部１２１へ通知する。通信情報管理部１２１は、プロキシサーバの機能を有しており、その配信要求を通信処理部１２０へ転送し、当該通信処理部１２０が、その配信要求を、通信ネットワークを介してウェブサーバ２へ送信する（ステップＳ５０２）。これにより、ウェブサーバ２がウェブページの配信要求に基づく特定したウェブページデータを端末１へ配信する（ステップＳ５０３）。すると、情報検索支援部１２の通信処理部１２０、通信情報管理部１２１、画面制御部１２７を介して、ウェブページデータが転送され、画面制御部１２７がブラウザ処理部１１に対してウェブページの出力を指示する（ステップＳ５０４）。これにより、端末１の画面にウェブページが表示される。
【００２２】
ここで、上述の処理において、端末１の情報検索支援部１２の通信情報管理部１２１は、ウェブページの配信要求に基づいてウェブサーバ２からウェブページデータを受信すると、そのウェブページデータの解析要求を配信情報解析部１２２へ指示する。配信情報解析部１２２（アクセス先管理情報有無判定手段）は、図３の処理フローで説明した上記ステップＳ１０５,Ｓ１０６,Ｓ１０８,Ｓ１１１の処理を行うとともに、さらに、ウェブページデータ内に情報提供ＵＲＬが格納されているかを判定する（ステップＳ５０５）。
例えば、
[情報提供ＵＲＬ  記述例]
<InfoItem>
<ItemTitle>ItemTitleA</ItemTitle>
http://hoyoyo.zzz.jp TitleA
http://hoyoyo.mmm.jp TitleB
</InfoItem>
のように、ウェブページデータのＨＴＭＬデータ内に特定のタグ『＜ＩｎｆｏＩｔｅｍ＞』で情報提供ＵＲＬが示される。そして、情報提供ＵＲＬがウェブページデータ内に格納されていると判定した場合には、配信情報解析部１２２は、次に、その情報提供ＵＲＬがデータベース１３の保持する情報提供ＵＲＬ管理テーブル（図２２）に登録されているかを判定する（ステップＳ５０６）。そして登録されていなければ、配信情報解析部１２２（第１アクセス先管理情報登録手段）は、ウェブページデータ内に格納されているアイテムタイトル、情報提供ＵＲＬ、タグ、を読み取って、閲覧回数の初期値「０」、重み付け値の初期値「１」、ウェブページのタイトル、などの情報に対応付けて情報提供ＵＲＬ管理テーブルに登録する（ステップＳ５０７）。また配信情報解析部１２２は、情報提供ＵＲＬ管理テーブルに登録したウェブページのタイトル名と、情報提供ＵＲＬを格納したウェブページを受信したことをユーザに知らせるためのアイコンとの表示を行うよう画面制御部１２７へ通知する。すると画面制御部１２７（第２アクセス先管理情報出力手段）は、その情報提供のＵＲＬにより示されるアイテムタイトルと、情報提供ＵＲＬを格納したウェブページを受信したことをユーザに知らせるためのアイコンとを、ウェブページの表示されているモニタ上に出力する（ステップＳ５０８）。
以上の処理によれば、情報提供ＵＲＬを格納したウェブページを受信した場合、そのＵＲＬに対応する情報を直ちにユーザに通知し、そのＵＲＬを情報アイテムとして登録させ、その後、そのＵＲＬへのアクセスを誘導することができる。
【００２３】
図１２は情報提供ＵＲＬの表示例を示す図である。
この図が示すように、情報提供のＵＲＬにより示されるアイテムタイトルと、情報提供ＵＲＬを格納したウェブページを受信したことをユーザに知らせるためのアイコンは、モニタ上に表示される。ユーザは、情報提供のＵＲＬにより示されるアイテムタイトルをクリックすることにより、その情報提供のＵＲＬを情報アイテムとして、情報アイテム管理テーブルに登録する。またその情報アイテム管理テーブルは、後述する図１７の画面にて管理することができる。このとき、画面制御部１２７は、情報提供のＵＲＬにより示されるアイテムタイトルのクリックを検出し、そのＵＲＬを情報アイテムとして、情報アイテム管理テーブルに登録する。
【００２４】
＜Ｂ．情報簡易検索処理＞
図１３は情報簡易検索処理の処理フローを示す図である。
図１４はブックマーク登録情報検索画面を示す図である。
図１５は近辺履歴情報検索画面を示す図である。
次に、ユーザがブックマーク登録したウェブページの情報に基づいて、ユーザが簡易に情報検索する場合の処理について、図１３〜図１５を用いて説明する。
まず、ユーザは、端末１に検索画面出力指示を入力する。すると、情報検索支援部１２の画面制御部１２７が検索画面を端末１のモニタに出力する（ステップＳ６０１）。この検索画面には、検索用の文字入力欄、曜日指定ボタン、時間帯指定ボタン、ブックマーク登録日時、重み付け値、閲覧回数、ブックマーク実行日時、実行回数等が表示される。この検索画面を用いて、ユーザは、ブックマーク登録したウェブページの情報の中から、所望の情報を検索することができる。つまり、ユーザは、検索用の文字入力欄にタイトル、タグ、日時等のキーワードを入力すると、ブックマーク管理テーブルに記録されているキーワードを含むウェブページの情報を検索することができる。検索条件の指定は、キーワードに限らず「曜日指定ボタン」「時間帯指定ボタン」等で選択する方式としてもよい。また、ユーザは、検索結果となるウェブページの一覧が表示された状態において、何れかの指定欄を指定してソートボタンを押下することで、その指定欄に対応する一覧のソートを行うことができる。
【００２５】
そして、ユーザが、端末１に表示された検索画面の、１又は複数の指定欄に情報を入力したとする。すると画面制御部１２７は、指定欄への情報の入力を検出し（ステップＳ６０２）、データベース１３のブックマーク管理テーブルの記憶するウェブページの情報の中から、指定欄に入力された情報をキーとした、ウェブページ情報（ウェブページのタイトル、登録日時、重み付け値、タグ、ブックマーク一覧で選択したウェブページへのアクセス時の日時、その閲覧回数、検索結果表示された際に選択・実行によりウェブページ表示を行ったことを示す実行回数（初期値「０」）、ウェブページのＵＲＬ）を検索する（ステップＳ６０３）。そして画面制御部１２７は、その検索結果を示すブックマーク登録情報検索画面（図１４）を端末１のモニタに出力する（ステップＳ６０４）。図１４で示すように、ブックマーク登録情報検索画面は、検索結果である複数のウェブページのタイトル、登録日時、重み付け値、タグ、ブックマーク一覧で選択したウェブページへのアクセス時の日時、その閲覧回数、検索結果表示された際に選択・実行によりウェブページ表示を行ったことを示す実行回数（初期値「０」）、ウェブページのＵＲＬ、を表示する画面である。この画面において、所望のブックマーク情報が見つかればそのＵＲＬ部分のクリックなどのブックマークページ表示操作により、所望のウェブページを表示するとともに、ブックマーク管理テーブルの該当ＵＲＬの実行回数を＋１する。
【００２６】
次に、ユーザは、ブックマーク登録情報検索画面において、１つの所望のウェブページＡの情報を選択したとする。すると、画面制御部１２７は、そのウェブページＡの選択を検出する（ステップＳ６０５）。そして画面制御部１２７は、選択されたウェブページＡのＵＲＬなどの情報をキーに、アクセス履歴情報テーブルからウェブページＡの最新のアクセス日時における履歴情報を検索する（ステップＳ６０６）。そして、画面制御部１２７は、そのウェブページＡの最新のアクセス日時における履歴情報と、その前後にアクセスした他のウェブページの履歴情報とを所定の数抽出し（ステップＳ６０７）、当該ウェブページの一覧を示す近辺履歴情報検索画面を（図１５）を端末１のモニタに出力する（ステップＳ６０８）。図１５で示すように、近辺履歴情報検索画面は、検索結果の履歴情報である複数のウェブページのタイトル、閲覧（アクセス）日時、ＵＲＬ、閲覧回数等を表示する画面である。
【００２７】
そして、ユーザが、近辺履歴情報検索画面において、所望のウェブページＢの情報を選択したとする。すると、画面制御部１２７は、そのウェブページＢの選択を検出する（ステップＳ６０９）。そして画面制御部１２７は、選択されたウェブページＢのＵＲＬを格納したウェブページの配信要求を、通信情報管理部１２１へ出力する。通信情報管理部１２１は、プロキシサーバの機能を有しており、その配信要求を通信処理部１２０へ転送し、当該通信処理部１２０が、その配信要求を、通信ネットワークを介してウェブサーバ２へ送信する。それとともに、このウェブページＢがブックマーク管理テーブルに存在すれば、その実行回数を＋１する（ステップＳ６１０）。これにより、ウェブサーバ２がウェブページの配信要求に基づく特定したウェブページデータを端末１へ配信する（ステップＳ６１１）。すると、情報検索支援部１２の通信処理部１２０、通信情報管理部１２１、画面制御部１２７を介して、ウェブページデータが転送され、画面制御部１２７がウェブページをブラウザ処理部１１に出力する（ステップＳ６１２）。これにより、端末１の画面にウェブページＢが表示される。なお、画面制御部１２７は、ブックマーク登録情報検索画面において選択されたウェブページＡの情報と、近辺履歴情報検索画面において選択されたウェブページＢの情報を記憶しておき、それらウェブページＡとウェブページＢとが関連するウェブページであることを示す関連度の情報を、ブックマーク管理テーブルのウェブページＡの情報として登録する。つまり、ウェブページＡの情報に対応付けて、ウェブページＢおよび関連度の初期値を対応付けて登録する。または既にウェブページＡの情報にウェブページＢと関連度の情報が対応付けられて登録されている場合には、その関連度の値をカウントアップする。
以上の処理によれば、ユーザは、過去にブックマーク登録したウェブページを閲覧した前後にアクセス履歴のあるウェブページを簡単な操作で検索・閲覧することができる。
【００２８】
＜Ｃ．情報アイテム利用処理＞
図１６は情報アイテム利用処理の第１の処理フローを示す図である。
図１７は情報アイテム一覧画面の例を示す図である。
図１８は情報アイテム送信先ＵＲＬが格納されているウェブページの表示例を示す図である。
次に、図１６を用いて、ユーザが情報アイテムを利用して情報を検索する場合の例について説明する。
まず、ユーザが端末１を用いてウェブサーバ２の送信するウェブページの検索・閲覧の操作を行う。すると端末１のブラウザ処理部１１は、ウェブサーバ２へウェブページの配信要求を出力する（ステップＳ７０１）。このウェブページ配信要求は、情報検索支援部１２の画面制御部１２７が、通信情報管理部１２１へ通知する。通信情報管理部１２１は、プロキシサーバの機能を有しており、その配信要求を通信処理部１２０へ転送し、当該通信処理部１２０が、その配信要求を、通信ネットワークを介してウェブサーバ２へ送信する（ステップＳ７０２）。これにより、ウェブサーバ２がウェブページの配信要求に基づく特定したウェブページデータを端末１へ配信する（ステップＳ７０３）。すると、情報検索支援部１２の通信処理部１２０、通信情報管理部１２１、画面制御部１２７を介して、ウェブページデータが転送され、画面制御部１２７は、そのウェブページデータをブラウザ処理部１１に出力する（ステップＳ７０４）。これにより、端末１の画面にウェブページが表示される。
【００２９】
ここで、上述の処理において、端末１の情報検索支援部１２の通信情報管理部１２１は、ウェブページの配信要求に基づいてウェブサーバ２からウェブページデータを受信すると、そのウェブページデータの解析要求を配信情報解析部１２２へ指示する。配信情報解析部１２２（アイテム対応情報有無判定手段）は、図３の処理フローで説明した上記ステップＳ１０５,Ｓ１０６,Ｓ１０８,Ｓ１１１の処理や、ステップＳ５０５〜Ｓ５０７などの処理（アクセス履歴情報の保存や、情報提供ＵＲＬが格納されているかの判定など）を行うとともに、さらに、ウェブページデータ内に情報アイテム送信先ＵＲＬ（アイテム対応情報）が格納されているかを判定する（ステップＳ７０５）。例えば、ウェブページデータのＨＴＭＬデータ内に特定のタグ『＜ｉｔｅｍＰｏｓｔＵＲＬ＞』で情報アイテム送信先ＵＲＬが示されている場合、配信情報解析部１２２は、情報アイテム送信先ＵＲＬがウェブページデータ内に格納されていると判定する。そして、情報アイテム送信先ＵＲＬが格納されていれば、配信情報解析部１２２は、情報アイテム送信先ＵＲＬ格納有りをアクセス履歴管理部１２５へ通知し、当該アクセス履歴管理部１２５が、アクセス管理テーブルにおいて、受信したウェブページの管理ＩＤに対応付けられた情報アイテム対応フラグ（ウェブページを配信するウェブサーバ２が、情報アイテムの分析結果に応じたウェブページの配信処理を行っていることを示す情報）をＹＥＳとして登録する（ステップＳ７０６）。また、アクセス履歴管理部１２５は、アクセス管理テーブルにおいて、情報アイテム送信先ＵＲＬを、受信したウェブページの管理ＩＤに対応付けて登録する（ステップＳ７０７）。
【００３０】
次に、配信情報解析部１２２（情報アイテム対応表示出力手段）は、受信したウェブページデータに情報アイテム送信先ＵＲＬが格納されているため、当該情報アイテム送信先ＵＲＬで示されるウェブページのタイトル名と、情報アイテム送信先ＵＲＬを格納したウェブページを受信したことをユーザに知らせるためのアイコンの表示を行うよう画面制御部１２７へ通知する。そして画面制御部１２７は、情報アイテム送信先ＵＲＬにより示されるウェブページのタイトルと、情報アイテム送信先ＵＲＬを格納したウェブページを受信したことをユーザに知らせるためのアイコンとを、ウェブページの表示されているモニタ上に出力する（ステップＳ７０８；図１６）。
【００３１】
また、配信情報解析部１２２は、受信したウェブページデータに情報アイテム送信先ＵＲＬが格納されている場合、情報アイテム一覧画面を出力するよう画面制御部１２７へ通知する。すると、画面制御部１２７は、データベース１３の情報アイテム管理テーブルから、登録された全ての情報アイテムのアイテム名を読み取り、それらアイテム名を表示する情報アイテム一覧画面を、ウェブページの表示されているモニタ上に出力する（ステップＳ７０９；図１６）。そして、ユーザは、モニタ上に出力する情報アイテム一覧画面において、表示中のウェブページを配信したウェブサーバ２へ情報アイテムを送信し、当該情報アイテムの分析結果に応じたウェブページの配信処理を要求したいと考えた場合、情報アイテム一覧画面において１つ又は複数の情報アイテムを選択し、表示中のウェブページを配信したウェブサーバ２へ、その情報アイテムを送信することができる。
【００３２】
そして、ユーザが情報アイテム一覧画面において、情報アイテムを選択した場合、画面制御部１２７が、その選択を検出し（ステップＳ７１０）、情報アイテム管理部１２４へ通知する。すると、情報アイテム管理部１２４（情報アイテム送信手段）は、選択された情報アイテムの情報（１つまたは複数のウェブページの、タイトル、登録日時、重み付け値、タグ、ＵＲＬ、閲覧回数、関連するウェブページの管理ＩＤ、関連度情報）を、情報アイテムのアイテム名をキーに情報アイテム管理テーブルから読み取る（ステップＳ７１１）。また、情報アイテム管理部１２４は、現在表示されているウェブページの管理ＩＤに対応付けられてアクセス管理テーブルに登録されている、情報アイテム送信先ＵＲＬを読み取る（ステップＳ７１２）。そして、情報アイテム管理部１２４は、情報アイテム送信先ＵＲＬへ、選択された情報アイテムの情報を送信する（ステップＳ７１３）。なお、上述の例では情報アイテムをユーザに選択させ、その選択された情報アイテムを送信する情報アイテム送信先ＵＲＬへ送信する例について説明したが、これに限らず、情報アイテム送信先ＵＲＬを格納したウェブページを受信した場合、何らかの自動的な処理により、複数の情報アイテムのうちの１又は複数の情報アイテムを情報アイテム送信先ＵＲＬで示されるウェブサーバ２へ送信するようにしてもよい。
以上の処理によれば、情報アイテムを用いて関連する情報を配信するサービスを行うウェブページへアクセスした場合、ユーザは、そのウェブページは端末上で生成した情報アイテムを送信することができる。
【００３３】
図１９は情報アイテム利用処理の第２の処理フローを示す図である。
次に端末１からウェブサーバへの情報アイテム送信後の処理について説明する。
上述のような処理により、端末１が、情報アイテム送信先ＵＲＬを格納したウェブページの受信に基づいて、当該ウェブページを配信したウェブサーバ２へ情報アイテムを送信すると、その情報アイテムを、ウェブサーバ２が受信する（ステップＳ８０１）。なお、端末１においては、情報アイテムを送信した場合、情報アイテム管理部１２４が、送信した情報アイテムのアイテム名に対応付けられて、情報アイテム管理テーブルに登録されている利用回数（情報アイテムの利用回数）をカウントアップして登録する。
【００３４】
そして、ウェブサーバ２（検索手段）は、情報アイテムを受信すると、その情報アイテムに含まれている１つまたは複数のウェブページに関する、タイトル、最終閲覧日時、重み付け値、タグ、ＵＲＬ、閲覧回数、などのユーザ側で所持しているアクセス先管理情報を分析し（ステップＳ８０２）、それらの情報アイテムで示される各ウェブページの内容に関連する、検索結果のウェブページやＵＲＬなどの配信情報を特定し（ステップＳ８０３）、その配信情報を端末１へ送信する（ステップＳ８０４）。なお、配信情報はウェブページそのものでもよい。そして、端末１の通信処理部１２０（検索結果受信手段）が配信情報を受信し、画面制御部１２７が、情報アイテムの分析に基づいてウェブサーバ２が送信した検索結果のウェブページを画面に出力する。
【００３５】
＜Ｄ．情報アイテム分析処理＞
図２０は情報アイテム分析処理の概要を示す第１の図である。
次に、ウェブサーバ２における情報アイテムの分析処理について説明する。ウェブサーバ２は、過去に他の端末から受信した情報アイテムを記憶しておく。そして、新たに情報アイテムを受信した場合、当該新たに受信した情報アイテムに関連する過去に受信した情報アイテムを検索し、その検索結果となる情報アイテムで示されるウェブページの情報を、分析結果として端末１へ出力する。例えば、図２０に示すように、ユーザＡの端末から情報アイテムＡを受信し、過去にユーザＢの端末から情報アイテムＢを受信しているものとする。図２０の例では情報アイテムＡ内には２つの情報アイテム名で特定される情報アイテムが格納されており、また情報アイテムＢ内にも２つの情報アイテム名で特定される情報アイテムが格納されているとする。このような場合、ウェブサーバ２は、情報アイテムＡのアイテム名、または、情報アイテムを構成するウェブページのＵＲＬと、同一のアイテム名、またはＵＲＬを格納している、他の情報アイテムを過去に受信しているかを、過去に受信した情報アイテムデータベースから検索し、その結果、同一のアイテム名、またはＵＲＬを格納している、他の情報アイテムが検索できた場合には、その情報アイテムに含まれるＵＲＬであって、情報アイテムＡに格納されているＵＲＬとは異なるＵＲＬを、分析結果として端末１へ送信する。図２０では、『マラソン』というアイテム名または、『マラソン開催日程ＵＲＬ』に基づいて検索し、情報アイテムＢを抽出し、その情報アイテムＢの中かから『マラソン開催日程ＵＲＬ』以外の他のＵＲＬを分析結果として特定している例である。
【００３６】
情報アイテムの分析処理としては、上述の処理のほか、例えば閲覧回数、重み付けカウント、利用日時などに基づいて評価データを作成し、その結果データに基づいて、評価データが近い、他の情報アイテムの中からＵＲＬを抽出し、分析結果として端末へ送信するようにしてもよい。
また、その他の例としては、情報アイテムで示される各ウェブページを他のウェブサーバなどから取得し、そのウェブページの配色、構成、文書内容などのデータに基づいて心理状態を表す尺度値を計算し、同一範囲の尺度値を示す、他の情報アイテムの中からＵＲＬを抽出し、分析結果として端末へ送信するようにしてもよい。
【００３７】
図２１は同実施形態による情報配信システムの構成を示す第２の図である。
上述した例では、端末１内に情報検索支援部１２の機能およびデータベース１３を備えていたが、これら、情報検索支援部１２の機能およびデータベース１３を、端末１の外部に備えるようにしても良い。図２１の例では、端末１に直接接続されたホームゲートウェイ装置内に、情報検索支援部１２の機能およびデータベース１３を備えた場合の例を示している。
【００３８】
図２３は情報アイテム利用処理の第３の処理フローを示す図である。
なお、上述の処理のほか、端末１はウェブサーバ２から配信された情報アイテムを端末１に登録することもできる。
ウェブサーバ２から配信されたウェブページによって端末１に表示された情報アイテムがクリックされたことを端末１が検出する（ステップＳ９０１）。すると情報検索支援部１２は、情報アイテム管理テーブルに同じ情報アイテム名の登録があるかを判定する（ステップＳ９０２）。そして、同じ情報アイテム名の登録がない場合には、そのクリックされた該当の情報提供ＵＲＬの情報を情報アイテム管理テーブルに登録し（ステップＳ９０３）、処理を終了する。  また、同じ情報アイテム名の登録がある場合には、「同じ情報アイテム名で上書き」／「同じ情報アイテム名を変更して登録」／「登録中止」の選択確認画面を表示し、そのうちの何れかの選択を検出する（ステップＳ９０４）。そして、「同じ情報アイテム名で上書き」／「同じ情報アイテム名を変更して登録」／「登録中止」のどれが選択されたかを判定し（ステップＳ９０５）、「同じ情報アイテム名で上書き」の選択を検出した場合には、ステップＳ９０３に移行し、また「同じ情報アイテム名を変更して登録」の選択を検出した場合には情報アイテム名の変更入力を受付ける（ステップＳ９０６）。また「登録中止」の選択を検出した場合には、処理を終了する。
【００３９】
以上、本発明の実施形態について説明したが、上述の処理によれば、ユーザの利用する情報検索支援装置は、アクセスしたウェブページのうち、ブックマークしたウェブページに基づいて、１つ又は複数のウェブページの情報からなる情報アイテムを生成し、その情報アイテムをウェブサーバに送信することにより、情報アイテムで示される１つ又は複数のウェブページに関連する配信情報を、情報アイテムを用いたサービスを提供するウェブサーバより受信する。これにより、情報検索支援装置において、ユーザが関連すると思うウェブページのまとまりに関連する、他のウェブページの情報を収集することができ、ユーザによる関連する情報収集の効率を上げることができる。
【００４０】
なお、上述の端末やウェブサーバは内部に、コンピュータシステムを有している。そして、上述した各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００４１】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００４２】
１・・・端末
２・・・ウェブサーバ
１１・・・ブラウザ処理部
１２・・・情報検索支援部
１３・・・データベース
１２０・・・通信処理部
１２１・・・通信情報管理部
１２２・・・配信情報解析部
１２３・・・情報アイテム生成部
１２４・・・情報アイテム管理部
１２５・・・アクセス履歴管理部
１２６・・・ブックマーク管理部
１２７・・・画面制御部
【図１】
2011060208.tif 000003
【図２】
2011060208.tif 000004
【図３】
2011060208.tif 000005
【図４】
2011060208.tif 000006
【図５】
2011060208.tif 000007
【図６】
2011060208.tif 000008
【図７】
2011060208.tif 000009
【図８】
2011060208.tif 000010
【図９】
2011060208.tif 000011
【図１０】
2011060208.tif 000012
【図１１】
2011060208.tif 000013
【図１２】
2011060208.tif 000014
【図１３】
2011060208.tif 000015
【図１４】
2011060208.tif 000016
【図１５】
2011060208.tif 000017
【図１６】
2011060208.tif 000018
【図１７】
2011060208.tif 000019
【図１８】
2011060208.tif 000020
【図１９】
2011060208.tif 000021
【図２０】
2011060208.tif 000022
【図２１】
2011060208.tif 000023
【図２２】
2011060208.tif 000024
【図２３】
2011060208.tif 000025